(57)【要約】【課題】操作部を備える画像形成装置の占有床面積を小さくでき、装置本体の小型化が実現される画像形成装置を提供する。【解決手段】シートＰ画像を形成する画像形成部１と、原稿Ｄを載置するプラテンガラス２０１ａと、プラテンガラス２０１ａの上方に配置され、プラテンガラス２０１ａの上に載置した原稿Ｄを押圧する原稿搬送部３と、原稿搬送部３の上方に固定され、画像形成の条件を設定するようにユーザが操作する操作表示ユニット４ａと、を備え、操作表示ユニット４ａの少なくとも一部は、プラテンガラス２０１ａと鉛直方向でオーバーラップする位置に配置される画像形成装置１００を構成した。【選択図】  図４
2017085400.tif 000002
【特許請求の範囲】
【請求項１】
記録材に画像を形成する画像形成部と、
原稿を載置する原稿載置台と、
前記原稿載置台の上方に配置され、前記原稿載置台の上に載置した原稿を押圧する押圧板と、
前記押圧板の上方に固定され、画像形成の条件を設定するようにユーザが操作する操作部と、
を備え、
前記操作部の少なくとも一部は、前記原稿載置台と鉛直方向でオーバーラップする位置に配置されることを特徴とする画像形成装置。
【請求項２】
記録材に画像を形成する画像形成部と、
原稿を載置する原稿載置台と、
原稿の画像を読み取る原稿読取部と、
原稿を搬送する原稿搬送部と、
前記原稿搬送部の上方に固定され、画像形成の条件を設定するようにユーザが操作する操作部と、
を備え、
前記原稿読取部は、
前記原稿載置台の上に載置された原稿を読み取る載置原稿読取部と、
前記原稿搬送部で搬送される原稿を読み取る搬送原稿読取部と、
を有し、
前記操作部の少なくとも一部は、前記載置原稿読取部又は前記搬送原稿読取部と鉛直方向でオーバーラップする位置に配置されることを特徴とする画像形成装置。
【請求項３】
前記操作部は、前記操作部の前に立つユーザから見て前後方向に回動する回動機構を有することを特徴とする請求項１又は請求項２に記載の画像形成装置。
【請求項４】
前記操作部は、前記操作部の前に立つユーザから見て前後方向に回動する回動機構を有し、前記操作部に回動すると前記操作部の一部が前記搬送原稿読取部と鉛直方向でオーバーラップする位置に配置されることを特徴とする請求項２に記載の画像形成装置。
【請求項５】
前記操作部は、前記画像形成装置の装置本体の上面に領域であって、前記原稿載置台を支持する支持部が無い角部に配置されることを特徴とする請求項１乃至請求項４のいずれか１項に記載の画像形成装置。
【請求項６】
前記操作部は、
前記操作部の隣に配置され、文字を入力するキーボードと、
前記キーボードの隣に配置され、前記キーボードを操作するときにユーザの手を保持するための保持部と、
を有することを特徴とする請求項１乃至請求項５のいずれか１項に記載の画像形成装置。
【発明の詳細な説明】
【技術分野】
【０００１】
本発明は、複合機、複写機、プリンタ、ファックス等のシート上に画像形成可能な電子写真方式の画像形成装置に関する。
【背景技術】
【０００２】
従来、原稿読取部が画像形成部の上方に設けられていて両者の間に排出トレイが設けられた画像形成装置が知られている。そのような構成において、従来、液晶パネルを用いた操作部をユーザ操作位置に対して原稿読取部の前方に配置したり、その側方に回転自在の支柱により支持されて配置したりすることで、良好な操作性もしくは視認性が得られる操作部が考案されている。
【先行技術文献】
【特許文献】
【０００３】
【特許文献１】特開２００２−３５４１７３号公報
【特許文献２】特開２００１−３５６５４０号公報
【発明の概要】
【発明が解決しようとする課題】
【０００４】
しかしながら、従来の構成は、原稿載置台の占有床面積に加えて操作部を配置するための占有床面積が必要となり、画像形成装置の占有床面積が大きくなってしまう問題があった。
【課題を解決するための手段】
【０００５】
本発明の画像形成装置は、記録材に画像を形成する画像形成部と、原稿を載置する原稿載置台と、前記原稿載置台の上方に配置され、前記原稿載置台の上に載置した原稿を押圧する押圧板と、前記押圧板の上方に固定され、画像形成の条件を設定するようにユーザが操作する操作部と、を備え、前記操作部の少なくとも一部は、前記原稿載置台と鉛直方向でオーバーラップする位置に配置されることを特徴とする。
【０００６】
本発明の他の画像形成装置は、記録材に画像を形成する画像形成部と、原稿を載置する原稿載置台と、原稿の画像を読み取る原稿読取部と、原稿を搬送する原稿搬送部と、前記原稿搬送部の上方に固定され、画像形成の条件を設定するようにユーザが操作する操作部と、を備え、前記原稿読取部は、前記原稿載置台の上に載置された原稿を読み取る載置原稿読取部と、前記原稿搬送部で搬送される原稿を読み取る搬送原稿読取部と、を有し、前記操作部の少なくとも一部は、前記載置原稿読取部又は前記搬送原稿読取部と鉛直方向でオーバーラップする位置に配置されることを特徴とする。
【発明の効果】
【０００７】
本発明によれば、操作部を備える画像形成装置の占有床面積を小さくでき、装置本体の小型化が実現される。
【図面の簡単な説明】
【０００８】
【図１】画像形成装置の断面図である。
【図２】（ａ）は画像読取部の断面図であり、（ｂ）は画像読取部の内部の斜視図である。
【図３】（ａ）は、操作表示部の斜視図であり、（ｂ）は、制御系統のブロック図である。
【図４】画像形成装置の斜視図である。
【図５】操作表示ユニットとその周辺の構成を示す側面図である。
【図６】画像形成装置の平面図である。
【図７】画像読取部及び原稿搬送部を開閉する画像形成装置の様子を示す側面図である。
【図８】実施例２に係る画像形成装置の斜視図である。
【図９】ユーザがキーボードを使用している図である。
【発明を実施するための形態】
【０００９】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。
【００１０】
［画像形成装置の説明］
図１〜３は、本発明の画像形成装置１００を示す図である。画像形成装置１００は、画像形成部１、画像読取部２、原稿搬送部３、操作表示ユニット４ａ（図４参照）を有する。以下、それぞれの構成について図を参照して説明する。
【００１１】
［画像形成部］
図１に示すように、『記録材』としてのシートＰに画像を形成する画像形成部１は、感光ドラム１１、帯電ローラ１２、Ｙ（イエロ）、Ｍ（マゼンタ）、Ｃ（シアン）、Ｂｋ（ブラック）の各色の現像剤を有する現像器１４等を備える。感光ドラム１１は、帯電ローラ１２によって表面を一様に帯電された後、伝送された画像情報の信号に基づいて駆動されるレーザスキャナ１３によって、潜像を形成される。潜像は、現像器１４によってトナー像として顕在化される。
【００１２】
感光ドラム１１上のトナー像は、一次転写ローラ１７により所定の加圧力および静電的負荷バイアスを付与されることで、中間転写ベルト３１に順次転写される。転写後、感光ドラム１１上に残った僅かな残トナーは、感光ドラムクリーナ１５によって除去回収され、再び、次の画像形成に備える。
【００１３】
一方、『記録材』としてのシートＰは、カセット２０から１枚ずつ給送され、レジストローラ対２３に搬送される。シートＰは、先端をレジストローラ対２３のニップ部に倣わせてループを形成されることで、斜行が修正される。その後、レジストローラ対２３は、中間転写ベルト３１上のトナー像と同期を取って、シートＰを中間転写ベルト３１と二次転写外ローラ３５との間に搬送する。
【００１４】
中間転写ベルト３１上のカラーのトナー像は、対向配置された二次転写内ローラ３４および二次転写外ローラ３５のニップ部において、所定の加圧力と静電的負荷バイアスが付与されることで、シートＰに転写される。転写後、中間転写ベルト３１上に残った僅かな残トナーは、転写クリーナ３６によって除去回収され、再び、次の画像形成に備える。シートＰ上に転写されたトナー像は、定着器４０によって、加熱加圧されることで定着され、排出ローラ対４１により排出トレイ５０上に排出される。
【００１５】
［画像読取部］
画像読取部２は、画像形成部１の上方に配置され、原稿Ｄの画像を読み取る。画像読取部２は、プラテンガラス２０１の上に載置された原稿Ｄを読み取る『載置原稿読取部』としての走査読取ユニット２０２と、原稿搬送部３で搬送される原稿Ｄを読み取る『搬送原稿読取部』としての搬送原稿読取ユニット６１と、を有する。画像読取部２は、上部に、原稿Ｄを載置する『原稿載置台』としてのプラテンガラス２０１を有する。このことから、プラテンガラス２０１は、画像形成部１の上方に配置されている。
【００１６】
画像読取部２は、原稿搬送部３により搬送される原稿Ｄがプラテンガラス２０１上を左から右へ通過する際に、所定の位置に保持された走査読取ユニット２０２により画像読取処理を行う。具体的には、原稿Ｄの読取面を走査読取ユニット２０２のランプ２０４ａの光で照射し、その原稿Ｄからの反射光を、ミラー２０４ｂ、２０５、２０６を介してレンズ２０７に導く。このレンズ２０７を通過した光を、イメージセンサ２０８の撮像面に結像し、電気的なデジタル信号に変換して伝送する。
【００１７】
また、画像読取部２は、原稿搬送部３を使用せずに持ち上げて、プラテンガラス２０１上に原稿Ｄを直接セットし、『押圧板』としての原稿搬送部３によりプラテンガラス２０１の上に載置した『記録材』としての原稿Ｄを押圧する。そして、走査読取ユニット２０２を左から右へ走査させることによっても画像読取処理を行うことが可能である。また、画像読取部２は、必ずしも原稿搬送部３を装着しなくてもよく、プラテンガラス２０１上にセットした原稿Ｄを押さえる『押圧板』としての原稿押さえ部材を設けたものであってもよい。
【００１８】
図２（ａ）は画像読取部２の断面図、図２（ｂ）は画像読取部２の内部の斜視図である。図２を参照して走査読取ユニット２０２の走査の構成について説明する。走査読取ユニット２０２は、レール２０９に沿って矢印Ａ方向（主走査方向）に移動する第１キャリッジ２０４と、第１キャリッジ２０４とレール２０９を搭載しレール２１３に沿って矢印Ｂ方向（副走査方向）に移動する第２キャリッジ２０３と、を有する。
【００１９】
第１キャリッジ２０４は走査読取部として機能する。第１キャリッジ２０４は、前述のランプ２０４ａとミラー２０４ｂを内包している。走査読取ユニット２０２は、走査時以外はプラテンガラス２０１の下部で待機している。
【００２０】
プラテンガラス２０１上に原稿Ｄを直接セットして画像を読み取る際、プラテンガラス２０１上の原稿Ｄに対し、主走査モータ２１２により第１キャリッジ２０４がレール２０９に沿ってベルト２１０を介して、矢印Ａ方向（主走査方向）に移動する。ベルト２１０はコロ２１１に懸架されて回転する。そして読取窓２０４ｃから原稿画像を読み取る。画像読取後、第２キャリッジ２０３は副走査モータ２１５により、ベルト２１４を介して矢印Ｂ方向（副走査方向）に第１キャリッジ２０４の読取幅分だけ移動し停止する。
【００２１】
この後、再び第１キャリッジ２０４がレール２０９上を移動し、画像を読み取る。この動作を原稿幅全域にわたって繰返し、全画像域を読み取る。なお、フラグ部２０３ａは第２キャリッジ２０３の端部に突出しており、センサ２１８により位置検出を行うために使用される。
【００２２】
［原稿搬送部］
ここで、図１の説明に戻る。図１に示すように原稿搬送部３は、原稿トレイ３０１上に上向きにセットされた原稿Ｄを、先頭頁から順に１枚ずつ給紙し、湾曲したパスを介して画像読取部２のプラテンガラス２０１上を通過させた後に、排出トレイ３０２に排出する。原稿搬送部３は、画像形成部１の上方の画像読取部２のプラテンガラス２０１の上方に配置される。
【００２３】
［操作部］
図３（ａ）は、操作表示ユニット４ａの斜視図である。図３（ｂ）は、制御系統のブロック図である。図３（ａ）に示す操作表示ユニット４ａは、静電式タッチパネル４０１とケース４０２とを有する。ケース４０２内にはユーザが入力した情報を処理する操作表示制御部６０１を備えている。
【００２４】
操作表示制御部６０１で処理された指示データは、システム制御部６０２に送られる。システム制御部６０２は、ユーザの入力した内容に基づいて本体制御部６１０全体を統括的に制御する。即ち、画像形成部１の画像形成動作を制御する画像形成制御部６１１と、画像読取部２の原稿画像の読取動作を制御する画像読取制御部６１２と、原稿搬送部３の原稿Ｄの搬送動作を制御する原稿搬送制御部６１３を制御する。各制御部は、それぞれ動作部近くに独立して配置しても１箇所に集中的に配置しても良い。
【実施例１】
【００２５】
［構成］
図４〜６は、実施例１の形態の一例を示す図である。図４（ａ）及び図４（ｂ）は、画像形成装置１００の斜視図である。画像形成装置１００の備える原稿搬送部３は、原稿Ｄを載置する原稿トレイ３０１と排出トレイ３０２を備える給排出部３００と、原稿Ｄを原稿トレイ３０１から排出トレイ３０２に搬送する搬送部３２０と、の２つのユニットに分けられる。
【００２６】
搬送部３２０の前方には搬送部３２０内部に有する搬送ローラ類を駆動するための駆動源を内包する駆動カバー３２２を有する。更に駆動カバー３２２には、操作表示ユニット４ａが備えられている。『操作部』としての操作表示ユニット４ａは、原稿搬送部３の上方に固定され、画像形成の条件を設定するようにユーザが操作するユニットである。
【００２７】
画像形成部１は、排出トレイ５０に矢印Ｃ方向、矢印Ｄ方向の２方向からアクセス可能に開放部を設け、排出紙の取出しが容易な構成である。しかし、角部１０１において上部に配置された画像読取部２と原稿搬送部３を支持する柱等が無いため、強度が弱くなる構成である。特に、ユーザが角部１０１の上方から負荷を加えると、画像読取部２と原稿搬送部３が歪んで、読取画像が歪んでしまったり、紙詰まりしたりする原因となる。
【００２８】
そこで、操作表示ユニット４ａは、画像形成装置１００の装置本体１００Ａの上面の領域であって、プラテンガラス２０１を支持する支持部１Ｊが無い角部１０１に配置される。これにより、ユーザが角部１０１の上方から負荷を与えられないようにするための障害物となるように配置されている。
【００２９】
搬送部３２０の搬送経路途中で紙詰りが起きた際には、図４（ｂ）に示すようにまず、操作表示ユニット４ａを矢印Ｅ方向に回動してジャム処理扉３２１から退避した後、ジャム処理扉３２１を矢印Ｆ方向に開いて、ジャム処理を行う。
【００３０】
図５は、操作表示ユニット４ａとその周辺の構成を示す側面図である。操作表示ユニット４ａは、操作表示ユニット４ａの下部にアーム４１１を有し、アーム４１１の備える回動軸４１１ａで駆動カバー３２２に対して回動可能に設けられる。このように、操作表示ユニット４ａは、操作表示ユニット４ａの前に立つユーザから見て前後方向に回動する回動機構６０を有している。
【００３１】
操作表示ユニット４ａは、操作表示ユニット４ａの前に立つユーザから見て前後方向に回動する回動機構６０を有し、操作表示ユニット４ａに回動すると操作表示ユニット４ａの一部が搬送原稿読取ユニット６１と鉛直方向でオーバーラップする位置に配置される。回動機構６０は、先端４１１ｂを含むアーム４１１、回動軸４１１ａを含む。
【００３２】
アーム４１１の先端部４１１ｂは操作表示ユニット４ａのケース４０２と結合されている。ケース４０２の前方には把手４１２が設けられている。また、静電式タッチパネル４０１は、信号伝達の線を束ねた束線４１３を介して画像形成装置１００の内部に備える制御回路部（付図示）と繋がっており、相互で通信を行って、静電式タッチパネル４０１に表示をする等、ユーザの入力に合わせた制御を行う。静電式タッチパネル４０１から設けられた束線４１３は、アーム４１１内部を通って束線穴３２２ｃ内に導入される。
【００３３】
駆動カバー３２２は、アーム４１１の回動範囲を矢印Ｅの範囲に限定するための回動規制軸３２２ａ、３２２ｂを備えている。また、駆動カバー３２２は、束線４１３を内部に導入するための束線穴３２２ｃを備える。束線穴３２２ｃは、アーム４１１が矢印Ｅの範囲で動作しても束線４１３に無理なストレスが掛からぬように矢印Ｅの範囲に亘って設けられた穴である。
【００３４】
図６は、画像形成装置１００の平面図である。図６のように、原稿搬送方向Ｘと、原稿搬送方向Ｘと直交する方向の直交方向Ｙと、を規定する。操作表示ユニット４ａは、画像読取部２が備えるプラテンガラス２０１の上方（以下、原稿読取領域）にオーバーラップして配置されている。
【００３５】
別の表現をすると、操作表示ユニット４ａの位置は、プラテンガラス２０１と鉛直方向でオーバーラップする位置に配置されると言える。なお、操作表示ユニット４ａの少なくとも一部の位置が、プラテンガラス２０１と鉛直方向でオーバーラップする位置に配置されれば良い。
【００３６】
図６で説明すると、ここでは、操作表示ユニット４ａのＸ方向範囲Ｌｓｘが原稿読取領域のＸ方向範囲Ｌｐｘにオーバーラップしており、且つ、操作表示ユニット４ａのＹ方向範囲Ｌｓｙが原稿読取領域のＹ方向範囲Ｌｐｙにオーバーラップして配置されている。操作表示ユニット４ａの少なくとも一部の位置は、画像読取部２のうちの走査読取ユニット２０２又は搬送原稿読取ユニット６１と鉛直方向でオーバーラップする位置に配置されれば良い。
【００３７】
このような配置によって、画像形成装置１００の占有床面積は、操作表示ユニット４ａと原稿読取領域がオーバーラップしている長さの分を短くすることができ、装置本体１００Ａの小型化が図れる。更に操作表示ユニット４ａのＸ方向範囲Ｌｓｘが本体外形のＸ方向範囲Ｌｇｘ内に収まり、操作表示ユニット４ａのＹ方向範囲Ｌｓｙが本体外形のＹ方向範囲Ｌｇｙ内に収まるよう配置することで、より装置本体１００Ａの小型化が図れる。
【００３８】
［原稿搬送路の開閉動作］
原稿搬送部３の開閉時の動作を図７に示す。図７（ｄ）に示すように例えば本５０１のような分厚い原稿Ｄの画像を読み取りたい場合は、まず原稿搬送部３を図７（ａ）の矢印Ｄ方向に持ち上げる。原稿搬送部３は、回動ヒンジ３３１を中心に回動可能で、回動ヒンジ３３１内に設けられたストッパ機構（不図示）によって、図７（ｂ）に示すように所定の位置で固定される。そして、図７（ｄ）に示すように画像読取部２の備えるプラテンガラス２０１上に読み取りたい頁を下にして載置する。
【００３９】
図７（ｃ）に示すように原稿搬送部３を開いた状態で保持している場合や図７（ｄ）に示すようにプラテンガラス２０１上に載置した原稿Ｄが分厚くて原稿搬送部３が閉まらない場合を想定する。その場合には、図７（ｂ）に示すように静電式タッチパネル４０１が上方を向いているため、ユーザが操作できない。そこで、操作表示ユニット４ａが備える把手４１２を矢印Ｅ方向に引いて、操作表示ユニット４ａを回動軸４１１ａを中心に回動させ、図７（ｃ）もしくは図７（ｄ）に示す位置まで回動する。すると、静電式タッチパネル４０１は、ユーザ操作方向である矢印Ｃ方向側からアクセス可能になる。
【実施例２】
【００４０】
［構成］
図８（ａ）は、実施例２に係る画像形成装置１００の斜視図である。実施例２の操作表示ユニット４ｂは、操作表示ユニット４ｂの隣に配置されて文字を入力するキーボード４２１と、キーボード４２１の隣に配置されてキーボード４２１を操作するときにユーザの手を保持する『保持部』としてのパームレスト３２１ａとを更に有する。
【００４１】
画像形成装置６の備える原稿搬送部３は、搬送部３２０の後方の駆動カバー３２２の内部に有する搬送ローラ類を駆動するための駆動源を内包する。更に原稿搬送部３の上方には、操作表示ユニット４ｂが備えられている。
【００４２】
操作表示ユニット４ｂは、静電式タッチパネル４０１の前方にキーボード４２１を有している。キーボード４２１は、文字入力の際の操作性が向上されるため、メールアドレス等で宛先を管理する環境で必要とされている。キーボード４２１の前方下にはジャム処理扉３２１がある。ジャム処理扉３２１の上面には、パームレスト３２１ａが設けられている。パームレスト３２１ａは、例えばスポンジなどの柔軟な素材でできている。
【００４３】
なお、シートＰのジャムを解消する場合には、図８（ｂ）のように、ユーザは、キーボード４２１が静電式タッチパネル４０１に対して閉じる。それから、図８（ｃ）のように、ユーザは、ジャム処理扉３２１を開く。
【００４４】
［キーボードの操作］
図９（ａ）に、ユーザがキーボード４２１を使用している図を示す。図９（ｂ）に示すようにユーザは、パームレスト３２１ａに手のひらを載せた状態でキーボード４２１を操作可能である。そのため、長時間でキーボード４２１を操作する際に有効である。
【００４５】
本発明によれば、操作表示ユニット４ａを備える画像形成装置１００の占有床面積を小さくでき、画像形成装置１００の装置本体１００Ａの小型化が実現される。
【符号の説明】
【００４６】
２        原稿読取部
３        原稿搬送部（押圧板）
４ａ      操作表示ユニット（操作部）
１００    画像形成装置
２０１ａ  プラテンガラス（原稿載置台）
Ｄ        原稿
Ｇ        画像形成部
Ｐ        記録材
【図１】
2017085400.tif 000003
【図２】
2017085400.tif 000004
【図３】
2017085400.tif 000005
【図４】
2017085400.tif 000006
【図５】
2017085400.tif 000007
【図６】
2017085400.tif 000008
【図７】
2017085400.tif 000009
【図８】
2017085400.tif 000010
【図９】
2017085400.tif 000011